(57)【要約】【課題】光走査装置の長尺レンズを、熱変形をかわすように保持しようとすると、振動に弱くなる。また、振動や衝撃に強くしようとすると、レンズの熱膨張をかわすことができず、レンズが湾曲し、サーマルシフトが大きくなってしまう。【解決手段】副走査方向に主たるパワーを持つ前記長尺レンズは、主走査方向の剛性が他の並進方向の剛性よりも弱く、かつ、副走査方向に平行な軸周りの剛性が、他の回転方向の剛性に対して弱く支持し、主走査方向に主たるパワーを持つ長尺レンズを、主走査方向の剛性が他の並進方向の剛性よりも弱く、かつ、光軸に平行な軸周りの剛性が、他の回転方向の剛性に対して弱く支持する。【選択図】図３
2017032614.tif 000002
【特許請求の範囲】
【請求項１】
光ビームを回転駆動したポリゴンミラーによって偏向する偏向機と、偏向された光ビームを感光体ドラム上に等速で照射するための長尺レンズを備える光走査装置において、
副走査方向に主たるパワーを持つ前記長尺レンズを、主走査方向の剛性が他の並進方向の剛性よりも弱く、かつ、副走査方向に平行な軸周りの剛性が、他の回転方向の剛性に対して弱く支持する前記レンズ保持機構、もしくは、
主走査方向に主たるパワーを持つ長尺レンズを、主走査方向の剛性が他の並進方向の剛性よりも弱く、かつ、光軸に平行な軸周りの剛性が、他の回転方向の剛性に対して弱く支持する前記レンズ保持機構のいずれかを有することを特徴とする光走査装置。
【請求項２】
前記レンズ保持機構は、２つ以上の弾性ヒンジで構成され、そのうちの少なくとも２つの弾性ヒンジは、主走査方向と、弾性ヒンジの剛性が最も弱い回転方向の軸と直交する方向で、異なる位置に配置されることを特徴とする請求項１に記載の光走査装置。
【請求項３】
前記レンズ保持機構は、２つの以上の弾性ヒンジで構成され、前記長尺レンズとの接触部に最も近い側の弾性ヒンジにおける最も弱い回転方向の剛性が、他の弾性ヒンジにおける最も弱い回転方向の剛性よりも弱いことを特徴とする請求項１又は請求項２に記載の光走査装置。
【請求項４】
前記レンズ保持機構は板バネで構成されることを特徴とする請求項１に記載の光走査装置。
【請求項５】
前記光走査装置は、前記偏向器と前記長尺レンズを支持する筐体を有し、前記レンズ保持機構は筐体の一部に切り込みを入れることで形成されることを特徴とする請求項１乃至請求項３の何れか一項に記載の光走査装置。
【発明の詳細な説明】
【技術分野】
【０００１】
本発明は、画像形成装置に搭載される光走査装置の光学素子の保持方法に関する。
【背景技術】
【０００２】
光源手段から光変調され出射した光束をポリゴンミラーで偏向反射させた後、被走査面上を走査する光走査装置は、電子写真プロセスを有するレーザービームプリンタやデジタル複写機等の画像形成装置に関連して広く知られている。
【０００３】
こうした画像形成装置においてカラー画像を形成するには、例えば互いに異なる４基本色（例えばＣ，Ｍ，Ｙ，Ｋ）の画像を順に単一の感光体上に重なり合うように形成することで実現できる。
【０００４】
このような画像形成装置は、複数の感光体を備え、複数本の光ビームによって各感光体を同時に走査露光して各感光体に互いに異なる基本色の画像を形成する。その後に各感光体から各基本色の画像を同一の転写体上に転写して重ね合わせ、これによってカラー画像を形成するようにしている。
【０００５】
このような画像形成方式の場合、各光走査装置の走査線の曲がり具合や傾きが異なると、形成されたカラー画像には色重ねズレが発生しカラー画像の画質を劣化させる。
【０００６】
光走査装置は光を走査するため、走査方向に長い長尺レンズが用いられる。長尺レンズを保持するために、従来は特許文献１に示すように、板バネで保持台に長尺レンズを押し付けるということが行われていた。
【０００７】
長尺レンズを板バネで保持する場合、輸送時の衝撃で長尺レンズがずれることを防ぐためにある程度押し付け力を大きくする必要があった。そのため、長尺レンズが保持台に比較的剛に拘束されてしまう。保持台は金属性であり、長尺レンズが樹脂の場合、長尺レンズの線膨張係数のほうがかなり大きいので、温度上昇とともに長尺レンズの伸び量が大きくなり、レンズ長手方向の膨張が拘束される。その結果温度上昇とともにレンズは湾曲する。
【０００８】
このようにして、印刷開始とともに温度が上昇し、結像光学系の光学特性の変化が大きくなり、結果として、４色間での色ずれが大きくなる。
【０００９】
そこで、長尺レンズの伸びをかわせるように保持台にＶ溝を設け、Ｖ溝にボールをはめ込み、ボール上に長尺レンズを載せて、上から板ばねで抑えるという方法が特許文献２で提案されている。
【先行技術文献】
【特許文献】
【００１０】
【特許文献１】特開２００５―７８７２５号公報
【特許文献２】特開平１１−３２６８０１号公報
【発明の概要】
【発明が解決しようとする課題】
【００１１】
上記のようにＶ溝＋ボールという構成は、Ｖ溝に平行な長尺レンズの移動可能方向に対する長尺レンズの支持剛性が下がるため、レンズ長手方向の振動に弱くなるという課題がある。
【００１２】
また、長尺レンズから突き出た突起を保持側の溝にはめて、溝上を滑らせて変形をかわすという構成も書かれている。しかし、摩擦力で長尺レンズを保持しているため、衝撃に強くしようとすると、バネでの押しつけ力を強くする必要があるため、振動特性は維持できるが、熱膨張による変形を十分にかわすことができなくなる。
【課題を解決するための手段】
【００１３】
本発明に係る光走査装置は、
光ビームを回転駆動したポリゴンミラーによって偏向する偏向機と、偏向された光ビームを像担持体上に等速で照射するための長尺レンズを備える光走査装置において、
副走査方向に主たるパワーを持つ前記長尺レンズを、主走査方向の剛性が他の並進方向の剛性よりも弱く、かつ、副走査方向に平行な軸周りの剛性が、他の回転方向の剛性に対して弱く支持する前記レンズ保持機構、もしくは、
主走査方向に主たるパワーを持つ長尺レンズを、主走査方向の剛性が他の並進方向の剛性よりも弱く、かつ、光軸に平行な軸周りの剛性が、他の回転方向の剛性に対して弱く支持する前記レンズ保持機構のいずれかを有することを特徴とする。
【発明の効果】
【００１４】
本発明に係る光走査装置によれば、振動特性がひどくなることを抑制しつつも、温度上昇による長尺レンズ変形の影響を抑制することができる。
【図面の簡単な説明】
【００１５】
【図１】本発明に関わる画像形成装置の概略図
【図２】本発明に関わる光走査装置の概略図
【図３】第一の実施例に関わる光学素子保持方法に関する説明図
【図４】第二の実施例に関わる光学素子保持方法に関する説明図
【図５】第二の実施例に関わる光学素子保持方法に関する説明図
【図６】第三の実施例に関わる光学素子保持方法に関する説明図
【図７】第四の実施例に関わる光学素子保持方法に関する説明図
【図８】本発明を光走査装置に適用した場合の効果に関するグラフ
【発明を実施するための形態】
【００１６】
以下、本発明を実施するための形態を図面に基づいて詳しく説明する。
【００１７】
本発明の実施形態に係る第一の光走査装置を説明する。
【００１８】
電子写真プロセスを用いた画像形成装置は、光、磁気、電荷などを利用して潜像を形成して顕像化し、それを記録シートに可視画像を転写する。図１に、カラー画像形成装置を示す。
【００１９】
作像部枠体１００内に像形成部である光走査装置（２ａ〜２ｄ）、像担持体である感光体ドラム（１ａ〜１ｄ）を備えた構造が示されている。感光体ドラム（１ａ〜１ｄ）に近接するように現像部（３ａ〜３ｄ）、が配置されている。感光体ドラム（１ａ〜１ｄ）の下方には中間転写ベルト６が複数のローラ間に捲回して張架され、駆動源モータ８がローラ７を回転することにより、中間転写ベルト６を回転させる。
【００２０】
カラー画像は以下のように形成される。まず、第１の画像形成部である光走査装置２ａにおいて、電子写真手段によって感光体ドラム１ａ上に原稿画像のイエロー（Ｙ）成分色の潜像を形成後、現像部３ａでＹ色トナーを有する現像剤によって潜像を可視画像化する。一次転写部４ａでは、可視画像化されたＹ色トナー像を中間転写ベルト６上に転写する。Ｙ色トナー像が中間転写ベルト６に転写されている間、同様に、感光体ドラム１ｂ上にマゼンタ（Ｍ）成分色の潜像が形成され、続いて現像部３ｂでＭ色トナーによるマゼンタトナー像が得られる。そして、先の第１画像形成ステーションＰａでＹ色トナー像の転写が終了した中間転写ベルト６が一次転写部４ｂに移動してきた段階で、Ｙ色トナー像が転写された中間転写ベルト６上の所定の位置にＭ色トナー像が転写される。
【００２１】
以下、シアン（Ｃ）色、ブラック（Ｂｋ）色についても同様な手順で画像形成が行われる。中間転写ベルト６上に４色のトナー像の重ね合わせが終了すると、中間転写ベルト６はさらに移動して二次転写部９，１１に達し、送られてきた記録材であるシート上にトナー像を一括転写する。以上のような画像形成手段により形成されたトナー画像が一括転写されたシートは搬送機構２０に送り込まれる。
【００２２】
搬送機構２０に送り込まれたシートは、多数の貫通した吸引孔を有する搬送ベルト上に載せられ、吸引ファンで吸引してベルト上にシートを吸着保持させた状態にして、作像部枠体１００に隣接して配置された定着部枠体２００に搬送される。
【００２３】
定着部枠体２００に搬送されたシートは定着部１３に送り込まれ、定着部１３では定着ローラ対と内部ヒータによって加圧・加熱され、トナー像をシート上に定着する。かかる定着処理後は装置本体外に排出される。
【００２４】
光走査装置２の温度が変化することにより、筐体の熱変形、光学素子の熱変形が発生し、感光体ドラム１に潜像を書き込むためのレーザの照射位置が変動する。
【００２５】
図２に、光走査装置２の概略構成図を示す。
【００２６】
光走査装置２は不図示の光源から射出されるレーザ光は、偏向器３５のポリゴンミラー３４で走査され、長尺レンズ４０、５０、６０を通り、感光体ドラム１上に走査し、原稿画像の潜像を書き込む。
【００２７】
長尺レンズ４０は球面レンズであり、長尺レンズ５０はシリンドリカルレンズであり、一定速度で回転しているポリゴンミラー３４で走査されたレーザ光を等速度で感光ドラム上に照射するための光学系である。長尺レンズ４０は主走査方向、副走査方向両方にパワーを持っており、長尺レンズ５０は主走査方向に主たるパワーを持っている。
【００２８】
長尺レンズ６０はトーリックレンズであり、副走査方向に主たるパワーを持っている。
【００２９】
また、長尺レンズ６０は組み立て時に光学調整可能なように、調整機構を有している。
【００３０】
図３は本実施形態を適用した光走査装置であり、図３（ａ）、図３（ｂ）は一定速度で回転駆動しているポリゴンミラー３４で走査されたレーザ光３７を等速度で感光ドラム上に照射するための長尺レンズ群に本発明を適用した図である。
【００３１】
長尺レンズ５０はレンズ保持機構５１１で筐体３１上に保持されている。レンズ保持機構５１１は、保持部５１、弾性ヒンジ５２、５９、回転部５４、押しつけ部材５３からなる。
【００３２】
長尺レンズ５０の保持部５１は、筐体３１をコの字に切り出した形状をしており、保持部５１のレンズ中央側が筐体３１と連結されている。保持部５１と筐体３１の連結部には上下からスリットが入れられており、弾性ヒンジ５２、５９が構成されている。弾性ヒンジ５２、５９部では光軸方向の軸周りの剛性が他の回転方向の剛性に対し弱くなっており、光軸方向の軸回りに変形しやすくなっている。
【００３３】
図３のからわかるように、保持部５１は筐体３１を、筐体３１の側面と平行に切り出している。また、スリット５２、５９も筐体３１の側面と平行に切れ込みを入れているので、鋳物または樹脂成型で筐体３１と一体で加工することができ、コストアップがほとんどない。
【００３４】
長尺レンズ５０は保持部５１上に載せられ、押しつけ部材５３が長尺レンズ５０を保持部５１に押しつけて保持部５１に固定される。
【００３５】
長尺レンズ５０の保持方法に関して、図３（ａ）の黒矢印で示した光軸方向から見た長尺レンズ５０および、レンズ保持機構５１１の断面の模式図を図３（ｃ）で示し、熱膨張した場合の長尺レンズとレンズ支持構成の変形の様子を説明する。
【００３６】
長尺レンズ５０はレンズ中心が主走査方向に移動しないように、レンズ中心にくぼみがあり、筐体３１の突起５７にはめ合わされている。
【００３７】
長尺レンズ５０が樹脂性の場合、長尺レンズ５０の線膨脹係数は６０ｐｐｍ程度、筐体がアルミ合金の場合２０ｐｐｍ程度である。そのため、光走査装置の温度が上昇すると、長尺レンズ５０の伸びが筐体の伸びよりも大きくなるため、バイメタルの効果で長尺レンズ５０が湾曲する。
【００３８】
筐体３１が樹脂性であっても、剛性を上げるためにガラス繊維を配合した樹脂を使用することが多く、その場合、線膨脹係数は５０ｐｐｍ程度、もしくはそれ以下となる。そのため、レンズよりも線膨脹係数が小さくなり、バイメタルの効果でレンズが湾曲する。
【００３９】
長尺レンズ５０の伸びをかわすために、保持機構５１１は弾性ヒンジ５２、５９が構成されている。弾性ヒンジ５２、５９は光軸方向の軸周りの剛性が他の回転方向の剛性に対して弱くなっており、光軸方向の軸回りに変形しやすい。
【００４０】
長尺レンズ５０が伸びると保持部５１も同じ方向に引っ張られる。２つの弾性ヒンジ５２、５９は光軸方向の軸回りに変形しやすくなっているため、２つの弾性ヒンジ５２、５９に挟まれた回転部分５４が回転し、保持部５１が主走査方向に延びることができる。つまり、２つの弾性ヒンジ５２、５９が光軸方向の軸周りの剛性が他の回転方向の剛性に対して弱くなっていることで、保持機構５１１の主走査方向の剛性を他の並進方向の剛性に対して弱くすることができ、長尺レンズ５０の伸びをかわすことができる。
【００４１】
レンズ中央側の弾性ヒンジ５２と外側の弾性ヒンジ５９が主走査方向に一直線に並んでいると、回転部分５４が回転できない。そのため、２つの弾性ヒンジをレンズ長手方向（主走査方向）と弾性ヒンジの回転軸（光軸方向）に対して直交する方向に異なる位置に配置して、回転部分５４を回転しやすくしている。
【００４２】
また、弾性ヒンジ５２、５９はレンズ保持部５１に近い側の弾性ヒンジ５９の方が薄くなるようにスリットが入っている。レンズ保持部５１に近い側の弾性ヒンジ５９の剛性を他の遠い側の弾性ヒンジ５２に比べて弱くすることでレンズ保持部５１が長尺レンズ５０の姿勢に倣いやすくなり、長尺レンズ５０へ与える曲げ力が小さくなり、長尺レンズ５０の湾曲を小さくすることができる。
【００４３】
本実施例では、２つの弾性ヒンジで説明しているか、３つ以上の弾性ヒンジを用いても、弾性ヒンジが副走査方向の異なる位置に配置されていれば、それぞれの弾性ヒンジが変形をかわすことができ効果がある。
【００４４】
一方、外部からの振動の影響によりレンズが振動しないように、弾性ヒンジ５２、５９はある程度の剛性を持つ必要がある。そのため、弾性ヒンジ５２、５９は変形をかわせることができるわけではなく、一定の力が生じ、多少レンズの湾曲を生じる。この時、レンズ湾曲の向きを照射位置ずれへの影響が小さくなる向きとすることが望ましい。
【００４５】
長尺レンズ５０はシリンドリカルレンズであり、主走査方向、光軸方向へのレンズ位置変動は感光ドラム上での副走査方向照射位置ずれに対する影響が大きいが、副走査方向へのレンズ位置変動は感光ドラム上での副走査照射位置ずれに対する影響は小さい。弾性ヒンジ５２、５９は光軸方向の軸周りの剛性が他の回転方向の剛性に対して弱く、長尺レンズ５０が膨張した場合、保持剛性の弱い光軸方向の軸周りに曲げが生じる。長尺レンズ５０に対する曲げ力は保持にかかる力の反力であるため、光軸方向の軸周りの力を受ける。その結果、図３（ｃ）の点線で示すように、長尺レンズ５０は副走査方向に凸になるような変形とすることができ、主走査方向、光軸方向へのレンズ位置変動をほぼなくすことができ、感光ドラム上での副走査照射位置ずれへの影響がほぼなくなる。
【００４６】
図３（ａ）の長尺レンズ４０は球面レンズである。球面レンズは、副走査方向のレンズ位置変動、光軸方向のレンズ位置変動とも、感光ドラム上での副走査照射位置ずれにはほぼ同じ効き方をする。しかし、感光ドラム上での主走査照射位置ずれに関しては副走査方向のレンズ位置変動は、光軸方向のレンズ位置変動に対して１０倍以上鈍感である。
【００４７】
長尺レンズ４０は長尺レンズ５０と同様に、レンズ保持機構４１１で筐体３１上に保持されている。レンズ保持機構４１１は、保持部４１、弾性ヒンジ４２、４９、回転部４４、押しつけ部材４３からなる。レンズ保持部４１と筐体３１を弾性ヒンジ４２、４９で連結し、弾性ヒンジ４２、４９が光軸方向の軸周りの剛性が他の回転方向の剛性に対して弱くなるように副走査方向にスリットを入れる。そうすることで、レンズ保持機構４１１は主走査方向の剛性が他の並進方向の保持剛性に対して弱く、また、光軸に平行な軸周りの剛性が他の回転方向の剛性に対して弱くすることができる。その結果、長尺レンズ４０を副走査方向に凸になるような変形とすることができ、感光ドラム上での主走査照射位置ずれに対して鈍感な変形とすることができる。
【００４８】
本実施例では、主走査方向に主たるパワーを持つレンズとして、シリンドリカルレンズを挙げているが、光軸方向のレンズ位置変動の照射位置ずれに対する敏感度が、副走査方向のレンズ位置変動の敏感度よりも大きいレンズに対しても効果がある。
【００４９】
本発明に関わる第二の実施例を図４を用いて説明する。
【００５０】
図４（ａ）は回転するポリゴンミラー３４で走査され、等速度で感光体ドラム上に照射するようにされたレーザ光を、感光ドラム上に書き込む際に発生するディストーションを補正するためのレンズに本発明を適用した図である。
【００５１】
長尺レンズ６０はトーリックレンズであり、副走査方向に主たるパワーを持っている。
【００５２】
長尺レンズ６０は筐体３１上に配置された支持板６５上に設置されている。支持板６５は長尺レンズ５０と同じく主走査方向が長くなっている。組み立て時に光学調整可能なように、支持板６５には穴６６が空いており、穴６６に軸６８が挿入され、軸６８は筐体３１に止められる。支持板６５は軸６８を中心に回転させて姿勢を調整して固定される。
【００５３】
レンズ保持機構６１１は、保持部６１、弾性ヒンジ６２、６９、回転部６４、押しつけ部材６３からなる。長尺レンズ６０の保持部６１と支持板６５は弾性ヒンジ６２、６９を介して連結されている。弾性ヒンジ６２、６９部では副走査方向の軸周りの剛性が他の回転方向の剛性に対して弱くなっており、副走査方向の軸回りに変形しやすくなっている。
【００５４】
長尺レンズ６０は保持部６１上に載せられ、押しつけ部材６３が長尺レンズ６０を保持部６１に押しつけて保持部６１に固定される。
【００５５】
長尺レンズ６０の保持方法に関して、図４（ａ）の黒矢印で示した副走査方向から見た長尺レンズ６０および、レンズ保持機構６１１の断面の模式図を図４（ｃ）で示し、熱膨張した場合のレンズとレンズ支持構成の変形の様子を説明する。
【００５６】
長尺レンズ６０はレンズ中心が主走査方向に移動しないように、レンズ中心にくぼみがあり、支持板側の突起６７にはめ合わされている。
【００５７】
長尺レンズ６０が樹脂性の場合、長尺レンズ６０の線膨脹係数は６０ｐｐｍ程度、支持板６５がアルミ合金の場合２０ｐｐｍ程度である。そのため、光走査装置の温度が上昇すると、長尺レンズ６０の伸びが支持板６５の伸びよりも大きくなるため、バイメタルの効果で長尺レンズ６０が湾曲してしまう。
【００５８】
支持板６５が樹脂性であっても、剛性を上げるためにガラス繊維を配合した樹脂を使用することが多く、そのため、線膨脹係数は５０ｐｐｍ程度、もしくはそれ以下となるため、レンズよりも線膨脹係数が小さくなり、バイメタルの効果により長尺レンズ６０が湾曲する。
【００５９】
長尺レンズ６０の伸びをかわすために、弾性ヒンジ６２、６９が構成されている。支持板６５と保持部６１の間を連結している弾性ヒンジ６２、６９は副走査方向の軸周りの剛性が他の回転方向の剛性に対して弱くなっており、副走査方向の軸回りに変形しやすい。長尺レンズ６０が伸びると保持部６１も同じ方向に引っ張られる。保持部６１と支持板６５との間の２つの弾性ヒンジが副走査方向の軸周りに変形しやすくなっているため、２つの弾性ヒンジ６２、６９に挟まれた回転部分６４が回転し、保持部６１が主走査方向に延びることができる。つまり、２つの弾性ヒンジ６２、６９が副走査方向の軸周りの剛性が他の回転方向の剛性に対して弱くなっていることで、保持機構６１１の主走査方向の剛性を他の並進方向の剛性に対して弱くすることができ、長尺レンズ６０の伸びをかわすことができる。
【００６０】
レンズ中央側の弾性ヒンジ６２と外側の弾性ヒンジ６９が主走査方向に一直線に並んでいると、回転部分６４が回転できない。そのため、長尺レンズ６０の伸びをかわすことができないので、弾性ヒンジはレンズ長手方向（主走査方向）と弾性ヒンジの回転軸（副走査方向）に対して、直交する方向（光軸方向）に異なる位置に配置する必要がある。
【００６１】
また、弾性ヒンジ６２、６９はレンズ保持部６１に近い側の弾性ヒンジ６９の方が薄くなるようにスリットが入っている。レンズ保持部６１に近い側の弾性ヒンジ６９の剛性が弱いことで、レンズ保持部６１が長尺レンズ６０の姿勢に倣いやすくなり、長尺レンズ６０へ与える曲げ力が小さくなり、長尺レンズ６０の湾曲を小さくすることができる。
【００６２】
本実施例では、２つの弾性ヒンジで説明しているか、３つ以上の弾性ヒンジを用いても、弾性ヒンジが副走査方向にずれて配置されていれば、それぞれの弾性ヒンジが変形をかわすことができ効果がある。
【００６３】
一方、外部からの振動の影響によりレンズが振動しないように、弾性ヒンジ６２はある程度の剛性を持つ必要がある。そのため、弾性ヒンジ６２は変形をかわせることができるわけではなく、一定の力が生じ、多少のレンズの湾曲を生じる。この時、レンズ湾曲の向きを照射位置ずれへの影響が小さくなる向きとする必要がある。
【００６４】
長尺レンズ６０はトーリックレンズであり、副走査方向へのレンズ位置変動は感光ドラム上での副走査照射位置ずれに対する影響が非常に大きいが、光軸方向へのレンズ位置変動は感光ドラム上での副走査照射位置ずれに対する影響は小さい。
【００６５】
弾性ヒンジ６２、６９は副走査方向の軸周りの剛性が他の回転方向の剛性に対して弱く、長尺レンズ６０が膨張した場合、保持剛性の弱い副走査方向の軸周りに曲げが生じる。長尺レンズ６０に対する曲げ力は保持にかかる力の反力であるため、副走査方向の軸周りの力を受ける。その結果、図４（ｃ）の点線で示すように、長尺レンズ６０は光軸方向に凸になるような変形とすることができ、副走査方向へのレンズ位置変動をほぼなくすことができ、照射位置ずれへの影響もほぼなくなる。
【００６６】
第２の実施例では、光学調整が可能になるように長尺レンズ６０は支持板６５を介して筐体３１に連結されている。調整機構が必要ない場合は、支持版６５を用いずに、直接筐体３１に長尺レンズ６０を保持する。その場合の構成に関して図５に示す。
【００６７】
長尺レンズ６０の保持部６２は、筐体３１をコの字に切り出した形状をしており、保持部６１のレンズ中央側が筐体３１と連結されている。連結部には光軸方向の両側からスリットが入れられており、弾性ヒンジ６２、６９を形成している。
【００６８】
図５からわかるように、保持部６１は筐体３１を、筐体３１の側面と平行に切り出している。また、スリット６２、６９も筐体３１の側面と平行に切れ込みを入れているので、鋳物または樹脂成型で筐体３１と一体で加工することができるので、コストアップがほとんどない。
【００６９】
本実施例では、副走査方向に主たるパワーを持つレンズとして、トーリックレンズを挙げているが、副走査方向のレンズ位置変動の照射位置ずれに対する敏感度が、光軸方向のレンズ位置変動の敏感度よりも大きいレンズに対しても効果がある。
【００７０】
第３の実施例は、主走査方向に主たるパワーを持つシリンドリカルレンズの保持方法を実施例１で記載したような弾性ヒンジの代わりに板バネ５００を用いたものである。第３の実施例に関する模式図を図６に示す。
【００７１】
レンズ保持機構５１１は、板バネ５００とレンズキャップ５０１からなる。長尺レンズ５０の伸びをかわすために、板バネ５００が入っている。長尺レンズ５０の両端にはキャップ５０１が取り付けられている。キャップ５０１と筐体３１は板バネ５００で連結されている。
【００７２】
板バネ５００により、主走査方向の剛性を他の並進方向の剛性より弱くすることができ、長尺レンズ５０の伸びをかわすことができる。
【００７３】
一方、外部からの振動の影響によりレンズが振動しないように、板バネ５００はある程度の剛性を持つ必要がある。そのため、板バネ５００は変形をかわせることができるわけではなく、一定の力が生じ、多少のレンズの湾曲を生じる。この時、レンズ湾曲の向きを照射位置ずれへの影響が小さくなる向きとする必要がある。
【００７４】
板バネ５００のキャップ側取り付け部と筐体３１側の取り付け部は副走査方向に並んでおり、板バネ５００の面の法線は主走査方向を向いている。また、板バネ５００は光軸方向の幅ｘが、レンズキャップと筐体３１の間隔ｙよりも大きくなっている。板ばね５００は光軸方向の軸周りの剛性を他の回転方向の剛性に対して弱くすることができる。
【００７５】
板バネ５００は光軸方向の軸周りの剛性が他の回転方向の剛性に対して弱いので、板バネ５００は光軸方向の軸周りに曲がろうとする。長尺レンズ５０に対する曲げ力は板バネ５００にかかる力の反力であるため光軸方向の軸周りの力を受ける。その結果、図６（ａ）の点線で示すように、レンズは副走査方向に凸になるような変形とすることができ、主走査方向、光軸方向へのレンズ位置変動をほぼなくすことができ、感光ドラム上での副走査照射位置ずれへの影響もほぼなくなる。
【００７６】
本実施例では、主走査方向に主たるパワーを持つレンズとして、シリンドリカルレンズを挙げているが、光軸方向のレンズ位置変動の照射位置ずれに対する敏感度が、副走査方向のレンズ位置変動の敏感度よりも大きいレンズに対しても効果がある。
【００７７】
第４の実施例は、副走査方向に主たるパワーを持つトーリックレンズの保持方法を実施例２で記載したような弾性ヒンジの代わりに板バネ６００を用いたものである。第４の実施例に関する模式図を図７に示す。
【００７８】
レンズ保持機構６１１は、板バネ６００とレンズキャップ６０１からなる。長尺レンズ６０の伸びをかわすために、板バネ６００が入っている。長尺レンズ６０の両端にはキャップ６０１が取り付けられている。支持板６５には板バネ支持部材６０２があり、キャップ６０１と板バネ支持部材６０２は板バネ６００で連結されている。板バネ６００により、主走査方向の剛性を他の並進方向の剛性よりも弱くすることができ、長尺レンズ６０の伸びをかわすことができる。
【００７９】
一方、外部からの振動の影響によりレンズが振動しないように、板バネ６００はある程度の剛性を持つ必要がある。そのため、板バネ６００は変形をかわせることができるわけではなく、一定の力が生じ、多少のレンズの湾曲を生じる。この時、レンズ湾曲の向きを照射位置ずれへの影響が小さくなる向きにする必要がある。
【００８０】
板バネ６００のキャップ側取り付け部と板バネ支持部材６０２側取り付け部は光軸方向に並んでおり、板バネ６００の面の法線は主走査方向を向いている。また、板バネ６００は副走査方向の幅ｘが、レンズキャップ６０１と板バネ支持部材６０２の間隔ｙよりも大きくなっている。板ばね６００は副走査方向の軸周りの剛性を他の回転方向の剛性よりも弱くすることができる。
【００８１】
板バネ６００は副走査方向の軸周りの剛性が他の回転方向の剛性に対して弱いので、板バネ６００は副走査方向の軸周りに曲がろうとする。長尺レンズ６０に対する曲げ力は板バネ６００にかかる力の反力であるため副走査方向の軸周りの力を受ける。その結果、図７（ａ）の点線で示すように、レンズは光軸方向に凸になるような変形とすることができ、主走査方向、副走査方向へのレンズ位置変動をほぼなくすことができ、感光ドラム上での副走査照射位置ずれへの影響もほぼなくなる。
【００８２】
トーリックレンズに板バネ６００を適用したときの照射位置ずれの効果を図８に示す。従来のものはレンズを筐体に押しつけて剛に拘束しており、熱膨張によりレンズが湾曲しているものである。本発明では板バネを介してレンズを保持し、熱変形をかわしている。一方で、振動に対しての剛性を保つように、板バネの剛性をある程度強くして、外乱によりレンズが振動しないようにしている。
【００８３】
本実施例のレンズ保持方法では、外乱によりレンズが振動しないようにしても、従来のように筐体に拘束した保持方法に比べて、副走査照射位置ずれ量が１／１０程度となっていることが分かる。弾性ヒンジでレンズを支持する構成も同様の効果がある。
【符号の説明】
【００８４】
１  感光体ドラム、２  光走査装置、３  現像部、４  １次転写部、
６  中間転写ベルト、７  ローラ、８  駆動源モータ、９  ２次転写部、
１１  ２次転写部、１３  定着部、２０  搬送機構、１００  作像部枠体、
２００  定着部枠体、３１  筐体、３４  ポリゴンミラー、３５  偏向機、
３７  レーザ光、３８  窓、３９  ミラー、４０  長尺レンズ、４１  保持部、
４２，４９  弾性ヒンジ、４３  押しつけ部材、５０  長尺レンズ、５１  保持部、
５２，５９  弾性ヒンジ、５３  押しつけ部材、５４  回転部分、５７  突起、
６０  長尺レンズ、６１  保持部、６２，６９  弾性ヒンジ、６３  押しつけ部材、
６４  回転部分、６５  支持板、６６  穴、６７  突起、６７  軸、
４１１  レンズ保持機構、５００  板バネ、５０１  キャップ、５０７  突起、
５１１  レンズ保持機構、６００  板バネ、６０１  キャップ、
６０２  板バネ支持部材、６０７  突起、６１１  レンズ保持機構
【図１】
2017032614.tif 000003
【図２】
2017032614.tif 000004
【図３】
2017032614.tif 000005
【図４】
2017032614.tif 000006
【図５】
2017032614.tif 000007
【図６】
2017032614.tif 000008
【図７】
2017032614.tif 000009
【図８】
2017032614.tif 000010